(57)【要約】      （修正有）【課題】本人自身が、スタート位置につくところからスタートダッシュ、中間疾走、ゴールまで、精神を走りに集中でき、正確なタイムを測ることができるストップウォッチを提供する。【解決手段】手のひらの、手を握った際に人差し指、中指、薬指、小指のいずれかが接する位置に、手のひらに垂直な方向から押下されるように配置したスイッチ３と、スイッチ信号の処理および計時を行う演算部と、デジタル表示部と、音発生部を有し、スイッチ３を押下することで予告音、用意音、スタート音が順に発生し、その後ゴールのタイミングで頭や胸を突き出すゴール突入動作とあわせて手を握る動作をすることで再度スイッチ３が押下されると計時を終了しデジタル表示部にタイムが表示される。【選択図】図１
2018109555.tif 000002
【特許請求の範囲】
【請求項１】
手のひらの、手を握った際に人差し指、中指、薬指、小指のいずれかが接する位置に、手のひらに垂直な方向から押下されるように配置したスイッチと、スイッチ信号の処理および計時を行う演算部と、デジタル表示部と、音発生部を有し、手を握るだけでスイッチが押下されてストップウォッチが作動することを特徴とする、ストップウォッチ装置。
【請求項２】
スイッチを押下することにより予告音、用意音を発生させ、その後スタート音を発生させると同時に計時を開始し、再度スイッチが押下されると計時を終了し、タイムを表示する計測方法を有する請求項１記載のストップウォッチ装置。
【発明の詳細な説明】
【技術分野】
【０００１】  この発明は陸上短距離走の際に自己のタイムを計るのに使用するストップウォッチに関する。
【背景技術】
【０００２】  陸上短距離走はスタートからゴールまで数秒から数十秒のタイムを競うものであり、競技では１／１００秒の差で順位が決定され、練習においては１／１０秒程度の精度でタイムが計測できることが、走力を評価するのに求められる。スタートから数秒から数十秒でゴールするまで走りに集中する必要がある一方、走者本人はクラウチングスタートで両手を地面につけておりストップウォッチの操作が困難であることやゴールでのストップウォッチのスイッチ操作で走りに集中できなくなることから、タイムの計測は本人以外の計測者に実施してもらうことが一般的である。【０００３】  本人自身が陸上短距離走の練習においてタイムを計測する場合、クラウチングスタートでなく、スタンディングの姿勢から指でストップウォッチを押下して計測を開始すると同時に全力疾走し、その後、図７の（ａ）〜（ｄ）の様にゴール地点手前でスイッチの位置を指の先端の感触で確認しながらゴールと同時にスイッチを指の先端で押下して計測を終了させる方法を用いており、正確なタイム計測ができない問題があった。【０００４】  この問題を解決したストップウォッチ装置に、図８のとおり指装着カバーの指先側端部または反指先側端部のうち手のひら側の部分に指の向きに平行な方向から押下されるように配置したスイッチと、スイッチ信号の処理および計時を行う演算部と、デジタル表示部と、音発生部を有し、手を握るだけでスイッチが押下されてストップウォッチが作動することを特徴とする、指装着用ストップウォッチ装置がある。（例えば特許文献１参照。）。【０００５】
【特許文献１】特願２００９−２２９９７５
【発明の概要】
【発明が解決しようとする課題】
【０００６】  しかしながら、この既発明品の指装着用ストップウォッチ装置に関し、陸上短距離競技は、若い人からマスターズ陸上競技に参加している高齢者まで、多くの方が参加しており、一部の方に、指に装着することに違和感があったり、ストップウォッチが小さすぎて扱いにくいと感じている方がいたりするとの問題があった。【０００７】  そこで、この発明は、短距離の練習において、練習している本人自身が、スタート位置につくところからスタートダッシュ、中間疾走、ゴールまで、精神を走りに集中でき、正確なタイムを測ることができるストップウォッチで、さらに、指装着ストップウォッチに違和感や取り扱いにくいと感じている一部の方に対して、違和感なく使用できるストップウォッチを提供することを目的とするものである。
【課題を解決するための手段】
【０００８】  上記目的を達成するために、第一の発明は、手を握った際に人差し指、中指、薬指、小指のいずれかが接する手のひらの位置に、手のひらに垂直な方向から押下されるように配置したスイッチと、手のひらの周辺位置に、スイッチ信号の処理および計時を行う演算部と、デジタル表示部と、音発生部を有し、手を握る動作をするだけでスイッチが押下されてストップウォッチが作動することを特徴とする、ストップウォッチ装置である。【０００９】  第二発明は、第一発明のストップウォッチ装置において、スイッチを押下することにより予告音、用意音を発生させ、その後スタート音を発生させると同時に計時を開始し、再度スイッチが押下されると計時を終了し、タイムを表示する計測方法を有するストップウォッチ装置である。【００１０】  第一発明による作用は、手のひらにスイッチを配置し、さらに指を含む手のひら周辺にスイッチ信号の処理および計時を行う演算部と、デジタル表示部と、音発生部を分散して配置することで、指のみの装着に違和感を持っている人が違和感なく装着でき、またある程度の大きさを有することで取扱いが容易となることである。【００１１】  第二発明による作用は、スイッチを押下すれば、自動的に予告音、用意音、スタート音が発生し、さらに、スタート音と同時に自動的に計測が開始されるので、クラウチング姿勢でスタートでき、競技時と異なるスタンディング姿勢からスタートすることで走力が低下して正確なタイムが計測できない課題の解決が図られる。
【発明の効果】
【００１２】  陸上短距離のタイムを本人自身で計測することにおいて、既発明品の指装着用ストップウォッチと同様にスイッチを押下することで予告音が発生し、その音により精神を走りに集中させながらクラウチング姿勢でスタートの位置について、次の用意音で用意の姿勢をとりながらスタート音に神経を集中させ、スタート音と同時にスタートダッシュをする。中間疾走に移り、最後のゴールのタイミングでは頭や胸を突き出すゴール突入動作とあわせて手を握る動作をするだけで、スイッチが押下されて計時を終了し、デジタル表示器にタイムが表示される。【００１３】  さらに、既発明品の指装着用ストップウォッチにおいて、指装着に違和感を持ったり、小さくて扱いにくいと感じたりする一部の人に対して、手のひらの周辺位置にスイッチ信号の処理および計時を行う演算部と、デジタル表示部と、音発生部を広く分散して配置できるため、指装着で感じた違和感がなく、また、大きくて扱いやすい装置が提供できる。
【図面の簡単な説明】
【００１４】
【図１】この発明の第一実施形態のストップウォッチを示す斜視図である。
【図２】同ストップウォッチの装着例で（ａ）は指を伸ばしている時の手の甲側の状態図、（ｂ）は指を伸ばしている時の手のひら側の状態図、（ｃ）は指を握った時にスイッチが押下されている状態図である。
【図３】同ストップウォッチの（ａ）は部分断面図、（ｂ）はブロック図である。
【図４】同ストップウォッチの作動フローチャートである。
【図５】同ストップウォッチを用いた実施例であり（ａ）は中間疾走時の手の開いた状態、（ｂ）はゴール時の手の握った状態である。
【図６】本発明の第二実施形態である。
【図７】従来技術のストップウォッチ操作例であり（ａ）は腕時計タイプのストップウォッチのスイッチを押下している状態図、（ｂ）は手持ちタイプのストップウォッチのスイッチを押下している状態図、（ｃ）は腕時計タイプのストップウォッチを手に持ってスイッチを押下している状態図（ｄ）は指装着タイプのストップウォッチのスイッチを親指で押下している状態図である。
【図８】既発明品の指装着用ストップウォッチ操作例であり（ａ）は中間疾走時の手の開いている時の指部分の拡大図、（ｂ）はゴール時の手の握った状態図、（ｃ）は手を握った時の指部分の拡大図である。
【発明を実施するための形態】
【００１５】「第一実施形態」
この発明の第一実施形態を、図１、図２、図３を用いて説明する。
【００１６】  図１は本発明の第一実施形態を示す斜視図である。弾性材のベルト１、表示−音発生−演算部６、配線７、スイッチ３で構成される。
【００１７】  図２（ａ）〜図２（ｃ）は本形態の手への装着例を示す。手の甲から手のひらにベルト１を巻き付け、巻きつけた状態で表示−音発生−演算部６は手の甲側に、スイッチ３は手のひら側に位置するようベルト１上に配置されている。
【００１８】  図２（ａ）は指を開いている時の手の甲側の斜視図、図２（ｂ）は指を開いている時の手のひら側の斜視図、図２（ｃ）は手を握った時に指先がスイッチを押している状態の図である。スイッチ３が、手を握った際に人差し指、中指、薬指、小指のいずれかが接する手のひらの位置に、手のひらに垂直な方向から押下されるように配置されているため、手を握る動作をするだけで人差し指、中指、薬指、小指のいずれかでスイッチが押下されるものである。
【００１９】  図３（ａ）は第一実施形態の部分断面を示している。ベルト１の手の甲側に配置された表示−音発生−演算部６は、デジタル表示部２、演算部４、音発生部５で構成されている。表示−音発生−演算部６と手のひら側に配置されたスイッチ３間が配線材で接続されている。図３（ｂ）はブロック図を示している。
【００２０】  この形態のストップウォッチを用いて計測する方法について、図４、図５を用いて説明する。
【００２１】  図４は、ストップウォッチの動作フローチャートである。走者であり計測を行なう本人が手を握る動作をすることによってスイッチ３が押下されると、演算部４により自動スタート処理が開始される。演算部４は音発生部５に予告音を発生させ、予告音により本人はスタート位置につく。所定時間経過後に演算部４は用意音を発生させ、本人は用意の姿勢をとる。所定時間経過後、演算部４はスタート音を発生させると同時に計測を開始する。本人はスタート音と同時にスタートダッシュ、中間疾走を行なう。
【００２２】  図５（ａ）は中間疾走中の状態を示しており、リラックス姿勢で手１１を開きスイッチを押下しない。図５（ｂ）はゴール時の動作を示しており、ゴールのタイミングでの頭や胸を突き出すゴール突入動作とあわせて、スイッチ３の位置を指先等の感触で確認することなく手１１を握る動作をするだけで、スイッチ３が押下される。スイッチ３が押下されることにより演算部４は計測を終了しタイムがデジタル表示部に表示される。
【００２３】「第二実施形態」
第一実施形態では、手の甲から手のひらにベルト１を巻き付け、ベルト１にデジタル表示部２、演算部４、音発生部５を配置したが、スイッチ３が手のひらに配置されれば他の構成品がどの場所にあってもよい。形態例として、第二実施形態は図６のとおりスイッチ３以外を従来の発明品の指装着カバーに配置した形態である。
【００２４】「その他の実施形態」
第一実施形態では、ベルト１は弾性材としたが、樹脂や金属等の非弾性材で周囲の長さを調整する形態でも構わない。
【００２５】  デジタル表示部２、演算部４、音発生部５の配置は、ベルト１にバランスよく配置すればいいだけなので、どのような配置でもよい。
【００２６】  予告音、用意音、スタート音は、ブザーのような音でも、音声でもよい。
【符号の説明】
【００２７】１  ベルト                ２  デジタル表示部
３  スイッチ              ４  演算部
５  音発生部
６  表示−音発生−演算部  ７  配線材
１１  手
１３  従来技術のストップウォッチのスイッチ
１４  従来技術のストップウォッチを押す指
１５  ゴールライン
【図１】
2018109555.tif 000003
【図２】
2018109555.tif 000004
【図３】
2018109555.tif 000005
【図４】
2018109555.tif 000006
【図５】
2018109555.tif 000007
【図６】
2018109555.tif 000008
【図７】
2018109555.tif 000009
【図８】
2018109555.tif 000010